(57)【要約】【課題】気が付かずに受けているストレスを認識することのできる生体情報測定装置を提供する。【解決手段】被検者の血糖値を測定する血糖値測定手段２１を備えた生体情報測定装置であって、血糖値測定手段２１が測定する血糖値の変化から被検者のストレスの度合いを推定する演算制御装置３０と、この演算制御装置３０が推定したストレスの度合いを表示する表示部２０とを備えている。【選択図】　図３
2004024757.tif 000002
【特許請求の範囲】
【請求項１】
被検者の血糖値を測定する血糖値測定手段を備えた生体情報測定装置であって、
前記血糖値測定手段が測定する血糖値の変化から被検者のストレスの度合いを推定して告知することを特徴とする生態情報測定装置。
【請求項２】
前記ストレスの度合いは、前記血糖値の変化と個人のストレスの標準データとを比較して推定することを特徴とする請求項１に記載の生態情報測定装置。
【発明の詳細な説明】
【０００１】
【発明の属する技術分野】
この発明は、血糖値測定手段を備えた生体情報測定装置に関する。
【０００２】
【従来の技術】
従来から、血糖値を測定する血糖値測定装置が知られている。かかる血糖値測定装置は、例えば２つの電極を皮膚に当接してその２つの電極間に電流を流してその電極間に流れる電流値から血糖値を測定するものである。
【０００３】
【発明が解決しようとする課題】
このような血糖値測定装置は、血糖値を測定してその血糖値を表示部に表示するだけであり、気が付かずに受けているストレスなどは分からなかった。
【０００４】
この発明の目的は、気が付かずに受けているストレスを認識することのできる生体情報測定装置を提供することにある。
【０００５】
【課題を解決するための手段】
上記目的を達成するため、請求項１の発明は、被検者の血糖値を測定する血糖値測定手段を備えた生体情報測定装置であって、
前記血糖値測定手段が測定する血糖値の変化から被検者のストレスの度合いを推定して告知することを特徴とする。
【０００６】
【実施の形態】
以下、この発明に係る生体情報測定装置の実施の形態を図面に基づいて説明する。
【０００７】
図１および図２において、１０は腕時計式の生体情報測定装置であり、この生体情報測定装置１０は、本体１１と、この本体１１を腕に装着させるリストバンド１２とを備えている。本体１１の裏面には互いに所定距離離間した２つの電極１３，１４が設けられており、本体１１の表面（上面）１１Ａの一端には開閉可能な蓋１５が装着されている。
【０００８】
本体１１の表面１１Ａには、本体１１に内蔵された時計２２（図３参照）の時刻を表示する表示器１６と、推定したストレスの度合いを表示する表示器（告知手段：表示部）１７と、点滅して警告表示する警告表示器１８と、操作部１９とが設けられている。操作部１９には、各種の操作を行う操作スイッチＳ１〜Ｓｎが設けられている。表示器１６には、内蔵された時計２２の時刻が表示されるので、通常腕時計として使用することができる。
【０００９】
蓋１５の裏面には液晶からなる表示器（告知手段：表示部）２０が設けられており、この表示器２０は推定したストレスの度合いをグラフにして表示するようになっている。
【００１０】
図３は、生体情報測定装置１０の制御系の構成を示したブロック図である。図３において、２１は電極１３，１４間に電流を流してその電極１３，１４間に流れる電流値から血糖値を測定する血糖値測定手段であり、この血糖値測定手段２１は特開平１１−３４２１２３号公報や特表平１１−５０５４５２号公報に記載されているものと同一であるので、その構成の説明は省略する。２２は内蔵された時計（タイマ）、２３は血糖値測定手段２１によって測定された測定データを記憶するメモリ（第１メモリ）である。２５はストレスが加わったときの血糖値の変化を示す個人の標準データを記憶するメモリ（第２メモリ）である。
【００１１】
３０はＣＰＵ等から構成されている演算制御装置であり、この演算制御装置３０は、操作部１９の操作スイッチＳ１〜Ｓｎの操作などに基づいて血糖値測定手段２１，表示器１６〜１８などを制御するようになっている。また、演算制御装置３０は、メモリ２３に記憶されたデータとメモリ２５に記憶された標準データとを比較してストレスの度合いを推定する推定手段（ストレス算出手段）としての機能を有している。
【００１２】
そして、制御装置３０と血糖値測定手段２１とメモリ２２，２５等は本体１１内に設けられている。
［動　作］
次に、上記のように構成される生体情報測定装置１０の動作について説明する。
【００１３】
先ず、最初に装着者の個人用の標準データをメモリ２３に記憶させる。これは、
例えば計算問題を１０分間やらせたときのストレスの度合いを「１」とし、このときの血糖値の変化を測定してメモリ２３に記憶させていく。
【００１４】
この測定は、リストバンド１２によって本体１１を腕に装着する。この装着により本体１１の裏面に設けられた電極１３，１４は腕の皮膚に接触することになる。そして、蓋１５を開けて、操作部１９のスイッチＳを操作して個人用標準データ作成モードを設定する。そして、操作部１９のスタートスイッチを押して蓋１５を閉じるとともに計算問題を１０分間行う。
【００１５】
操作部１９のスタートスイッチが押されると、制御装置３０は一定時間経過毎に血糖値測定手段２１を動作させて、電極１３，１４間に電流を流して血糖値の測定を行う。この測定によって得られた血糖値（測定値）の変化を示すグラフが作成されてメモリ２３に記憶されていくとともに、その測定結果のグラフが表示部２０に表示される。
【００１６】
ところで、図４に示すように時点ｔ１でストレスが加わると血糖値が変化し、波形Ｐ１が現れる。その血糖値の変化はストレスが強いほど大きく、その波形Ｐ１は大きくなる。なお、期間Ｔ１は食事をしている時間であり、時点ｔ０は食事から数時間経過した時間であり、食事が終わってから数時間後には血糖値はほぼ一定となる。この血糖値が一定となっているときに標準データを取る。
【００１７】
１０分間の計算が終了したら、操作部１９の登録キーを操作してそのストレスの度合いが「１」の標準データとしてＰ１の波形データをメモリ２５に登録させる。
【００１８】
次に、所定時間休憩した後に同様にして計算問題を２０分間行う。このとき測定した血糖値の変化であるＰ２（図示せず）の波形データをストレスの度合いが「２」の標準データとしてメモリ２５に登録させる。
【００１９】
同様にして、所定時間休憩した後に計算問題を３０分間行い、このときの測定した血糖値の変化であるＰ３（図示せず）の波形データをストレスの度合いが「３」の標準データとしてメモリ２５に登録させる。
【００２０】
標準データの登録が終了したら、操作部１９を操作して測定モードを設定するとともにスタートスイッチを押す。すると、制御装置３０は一定時間経過毎に血糖値測定手段２１を動作させて、電極１３，１４間に電流を流して血糖値の測定を行う。この測定によって得られて血糖値（測定値）はメモリ２３に記憶されていく。
【００２１】
制御装置３０は、メモリ２３に記憶された血糖値のデータの変化と、メモリ２５に記憶された標準データ（波形データＰ１〜Ｐ３）とを比較してストレスの度合いを推定していく。
【００２２】
この推定した現時点のストレスの度合いは表示器１７に表示され、その推定したストレスの度合いが例えば「３」以上であれば、警告表示器１８を点滅して警告する。また、表示部２０には、時間の経過とともに変化していくストレスの度合いがグラフとして表示されていく。
【００２３】
この表示部２０に「３」以上のストレスが長時間に亘って続いて表示されていたら、車を運転している場合にはその運転を止めて休憩する等の処置をとることができ、安全運転をめざすことができる。
【００２４】
このように、表示器１７や表示部２０にはストレスの度合いが表示されるので、気が付かづに受けているストレスを認識することができ、そのストレスに対して対処することができる。
【００２５】
上記実施形態では、作成した個人の標準データと比較してストレスの度合いを推定しているが、予め平均的な標準データをメモリ２５に登録しておき、この平均的な標準データと比較すれば、個人用の標準データを作成する必要はない。
【００２６】
また、上記実施形態では、血糖値の測定を電極１３，１４間に電流を流して行っているが、これに限らず例えば特開平１１−３４２１２３号公報に示すように赤外光を用いて血糖値の測定を行ってもよい。
【００２７】
【発明の効果】
以上説明したように、この発明によれば、気が付かづに受けているストレスを認識することができ、そのストレスに対して対処することができる。
【図面の簡単な説明】
【図１】この発明に係る生態情報測定装置を示した斜視図である。
【図２】図１に示す生体情報測定装置の本体の裏面を示した説明図である。
【図３】生体情報測定装置の制御系の構成を示したブロック図である。
【図４】血糖値の変化を示したグラフである。
【符号の説明】
１１　　　　　　本体
２０　　　　　　表示部
２１　　　　　　血糖値測定手段
３０　　　　　　演算制御装置
【図１】
2004024757.tif 000003
【図２】
2004024757.tif 000004
【図３】
2004024757.tif 000005
【図４】
2004024757.tif 000006